(57)【要約】【課題】  本発明は、表示パネルの表示部と回路基板との電気的な引き回しをフレキシブルプリント配線板によって良好に保ちつつ、表示部の表示情報を切り替えるためのスイッチ操作部の距離を近づけ、操作しやすく表示部を見やすくすることが可能な表示装置を提供することを目的とする。【解決手段】  表示パネル１を駆動するための回路基板３と、表示パネル１と回路基板３とを接続するフレキシブルプリント配線板４と、回路基板３上に実装され、表示パネル１の表示設定などを切り替えるためのスイッチ操作部６と、を備えた表示装置Ｄにおいて、スイッチ操作部６を表示パネル１と隣接する位置に配設するとともに、スイッチ操作部６の配設位置に合わせてフレキシブルプリント配線板４に開口部４０を設け、スイッチ操作部６が開口部４０を介して操作可能に配置されていることを特徴とする表示装置Ｄである。【選択図】  図２
2013095178.tif 000002
【特許請求の範囲】
【請求項１】
表示パネルと、前記表示パネルを駆動するための回路基板と、前記表示パネルと前記回路基板とを接続するフレキシブルプリント配線板と、前記回路基板上に実装され、前記表示パネルの表示設定などを切り替えるためのスイッチ操作部と、を備えた表示装置において、前記スイッチ操作部を前記表示パネルと隣接する位置に配設するとともに、前記スイッチ操作部の配設位置に合わせて前記フレキシブルプリント配線板に開口部を設け、前記スイッチ操作部が前記開口部を介して操作可能に配置されていることを特徴とする表示装置。
【請求項２】
前記スイッチ操作部は、前記回路基板上に実装された押釦スイッチと操作者からの作動力を伝えるキートップ部とで構成されること、を特徴とする請求項１に記載の表示装置。
【請求項３】
前記回路基板に実装されるフレキシブルプリント配線板接続用コネクタが、前記回路基板の前記表示パネルが配置される側の面と同一の面に配置されることを特徴とする請求項１または請求項２に記載の表示装置。
【請求項４】
前記回路基板に実装されるフレキシブルプリント配線板接続用コネクタが、前記回路基板の前記表示パネルが配置される側の面と反対側の面に配置されることを特徴とする請求項１または請求項２に記載の表示装置。
【請求項５】
前記表示装置を上ケースと下ケースとからなるケースに収納するとともに、前記押釦スイッチが実装された前記回路基板の背面箇所に前記下ケースから一体に突出した突き当て凸部を配置してなることを特徴とする請求項１から請求項４のいずれか１項に記載の表示装置。
【請求項６】
前記キートップ部の前面側に弾性を有する押圧操作部を設けるとともに、この押圧操作部を前記表示パネルの前面側を覆う前記上ケースに取り付け固定してなることを特徴とする請求項５に記載の表示装置。
【発明の詳細な説明】
【技術分野】
【０００１】
本発明は、液晶や有機ＥＬなどを用いた表示装置に関し、特に表示装置の表示パネルと回路基板とをフレキシブルプリント配線板で電気的に接続するようにした表示装置に関するものである。
【背景技術】
【０００２】
この種の表示装置として、たとえば表示パネルとして液晶パネルを用いた表示装置が広く知られている。かかる表示装置の多くは、ライトボックスと称されるケースを通じて表示パネルが支持されるとともに、ケースの背後側に回路基板が配設されて支持され、回路基板に装着した光源（ＬＥＤ）にて表示パネルがバックライト照明される。また表示パネルと回路基板とは、表示パネルに設けられた電極端子と回路基板に設けられた回路パターンとが適宜接続部材にて導通接続され、回路基板を通じて表示パネルに駆動信号を供給し、表示パネルに所定の表示を行わせるようになっている。
【０００３】
表示パネルと回路基板としては、たとえば特許文献１に示されているように、複数の金属製のリードフレームを使用するものや、たとえば特許文献２に示されているように、ラバーコネクタ（導電ゴム）を使用するものなどがある。これらのものは電極端子のピッチ間隔が比較的広い場合や電極端子数が少ない場合は実用的であるが、たとえば高解像度が要求される表示パネルのように、電極端子数が多くそのピッチ間隔が狭い場合においては不向きである。また、たとえば特許文献３に示されているように、可撓性回路基板（ＦＰＣ、またはフレキシブルプリント配線板）を用いたものも知られており、フレキシブルプリント配線板を用いたものは、電極端子間が極小ピッチの場合でも接続が容易であり、表示パネルの小型化や高解像度化にも対応し得るというメリットがある。
【０００４】
また、このような表示装置には、液晶パネルなどの表示パネルとは別に、表示パネルの表示設定などを切り替えるためのスイッチ操作部が設けられることがある。
【先行技術文献】
【特許文献】
【０００５】
【特許文献１】特開平１０−１７７１５５号公報
【特許文献２】特開平１１−３０５２０２号公報
【特許文献３】実開平５−４７９２０号公報
【発明の概要】
【発明が解決しようとする課題】
【０００６】
しかしながら、前述した特許文献１から特許文献３などに記載されている表示パネルの表示部の領域と表示パネルの表示設定などを切り替えるためのスイッチ操作部の配置が離れていると、表示部の表示情報を把握しながら操作箇所であるスイッチ操作部を押圧操作しようとした場合、そのスイッチ操作部を誤って操作してしまう虞がある。
【０００７】
このため、表示パネルの表示部箇所とスイッチ操作部との位置を近づけて配置することが望ましく、このような場合において、電気的な引き回しが容易なフレキシブルプリント配線板を用いながら、スイッチ操作部を回路基板上に実装しようとした場合、液晶パネルなどからなる表示パネルと回路基板とを接続するフレキシブルプリント配線板の引き回しされる領域を避けてスイッチ操作部を配置しなければならず、結果として、表示パネルに対してスイッチ操作部の位置を近づけられないという問題が生じてしまい、スイッチ操作部を含む表示装置の小型化を進める上で難点があった。
【０００８】
そこで、本発明は、上述した問題点に着目し、表示パネルの表示部と回路基板との電気的な引き回しをフレキシブルプリント配線板によって良好に保ちつつ、表示部の表示情報を切り替えるためのスイッチ操作部の距離を近づけ、操作しやすく表示部を見やすくすることが可能な表示装置を提供することを目的とする。
【課題を解決するための手段】
【０００９】
本発明は前述した課題を解決するため、請求項１では、表示パネルと、前記表示パネルを駆動するための回路基板と、前記表示パネルと前記回路基板とを接続するフレキシブルプリント配線板と、前記回路基板上に実装され、前記表示パネルの表示設定などを切り替えるためのスイッチ操作部と、を備えた表示装置において、前記スイッチ操作部を前記表示パネルと隣接する位置に配設するとともに、前記スイッチ操作部の配設位置に合わせて前記フレキシブルプリント配線板に開口部を設け、前記スイッチ操作部が前記開口部を介して操作可能に配置されていることを特徴とする表示装置である。
【００１０】
このように構成することにより、フレキシブルプリント配線板に開口部を設け、この開口部にスイッチ操作部を配置することができるため、スイッチ操作部を含む表示装置全体を小型化することが可能となり、フレキシブルプリント配線板の少なくとも一部の領域を利用することができるため表示パネルの表示部領域とスイッチ操作部の距離を近づけることができ、これにより操作しやすく表示部を見やすくすることが可能となる。
【００１１】
また請求項２では、請求項１に記載の表示装置において、前記スイッチ操作部は、前記回路基板上に実装された押釦スイッチと操作者からの作動力を伝えるキートップ部とで構成されることを特徴とするものである。
【００１２】
このように構成することにより、スイッチ操作部を回路基板上に実装された押釦スイッチと操作者からの作動力を伝えるキートップ部で構成することにより、キートップ部の長さを調節（設定）することによって、主に規格品である押し釦スイッチの長さを変えることなく回路基板からキートップ部までの距離を任意の長さに設定することができ、これにより押圧による操作を良好に行うことができる。
【００１３】
また請求項３では、請求項１または請求項２に記載の表示装置において、前記回路基板に実装されるフレキシブルプリント配線板接続用コネクタが、前記回路基板の前記表示パネルが配置される側の面と同一の面に配置されることを特徴とするものである。
【００１４】
このように構成することにより、回路基板上に組み付けられる部品である表示パネルやスイッチ操作部あるいはフレキシブルプリント配線板接続用コネクタを、同一の側に面した回路基板上に組み付けることができるため、部品のセットが行いやすく組み付け作業を簡便に行うことが可能となる。
【００１５】
また請求項４では、請求項１または請求項２に記載の表示装置において、前記回路基板に実装されるフレキシブルプリント配線板接続用コネクタが、前記回路基板の前記表示パネルが配置される側の面と反対側の面に配置されることを特徴とするものである。
【００１６】
このように構成することにより、回路基板に実装されるフレキシブルプリント配線板接続用コネクタが、回路基板の表示パネルが配置される側の面と反対側の面に配置されることにより、回路基板を覆うケースに沿って引き回し案内することができ、これによりケースの小型化をさらに実現することが可能となる。
【００１７】
また請求項５では、請求項１から請求項４のいずれか１項に記載の表示装置において、前記表示装置を上ケースと下ケースとからなるケースに収納するとともに、前記押し釦スイッチが実装された前記回路基板の背面箇所に前記下ケースから一体に突出した突き当て凸部を配置してなることを特徴とするものである。
【００１８】
このように構成することにより、操作者がスイッチ操作部を作動させた際に生じやすい押圧力が、直接的に加わったとしても下ケースから一体に設けた突き当て凸部によって回路基板の下側を受けることにより、回路基板が撓んで変形することを未然に予防することができ、回路基板の損傷を防止することができる。
【００１９】
また請求項６では、請求項５に記載の表示装置において、前記キートップ部の前面側に弾性を有する押圧操作部を設けるとともに、この押圧操作部を前記表示パネルの前面側を覆う前記上側ケースに取り付け固定してなることを特徴とするものである。
【００２０】
このように構成することにより、ケース内に表示装置の収納することにより外部側からの接触を防ぐことができ、保護することが可能となり、しかもスイッチ操作部に設けられたキートップ部の前面側に弾性を有する押圧操作部を設け、この押圧操作部を上側ケースに取り付け固定してなることにより、ケースの外部からの塵埃や水滴などの浸入を未然に防ぐことができる。
【発明の効果】
【００２１】
本発明では、表示パネルと、前記表示パネルを駆動するための回路基板と、前記表示パネルと前記回路基板とを接続するフレキシブルプリント配線板と、前記回路基板上に実装され、前記表示パネルの表示設定などを切り替えるためのスイッチ操作部と、を備えた表示装置において、前記スイッチ操作部を前記表示パネルと隣接する位置に配設するとともに、前記スイッチ操作部の配設位置に合わせて前記フレキシブルプリント配線板に開口部を設け、前記スイッチ操作部が前記開口部を介して操作可能に配置されていることを特徴とする表示装置であるため、フレキシブルプリント配線板に設けた開口部にスイッチ操作部を配置することができ、表示装置全体を小型化することが可能となり、フレキシブルプリント配線板の少なくとも一部の領域を利用することができるために表示パネルの表示部領域と設定切り替えスイッチ操作部の距離を近づけることができ、これにより操作しやすく表示部を見やすくすることが可能となるものであり、これにより所期の目的を達成することができる。
【図面の簡単な説明】
【００２２】
【図１】本発明の実施形態である液晶表示素子からなる表示装置を車両などの指示計器に組み付けた状態を示す正面図である。
【図２】図２は、図１のＡ−Ａ線に沿った表示装置の断面図である。
【図３】図３は、図２の表示装置における表示パネルとスイッチ操作部の組み付け前の状態を示す要部の斜視図である。
【図４】図４は、本発明の第２の実施形態を示す指示計器に組み付けられた表示装置を示す正面図である。
【図５】図５は、図４のＢ−Ｂ線に沿った表示装置の断面図である。
【図６】図６は、図５の表示装置における表示パネルとスイッチ操作部の組み付け前の状態を示す要部の斜視図である。
【図７】図７は、本発明の実施形態である表示装置の変形例を示す断面図である。
【発明を実施するための最良の形態】
【００２３】
以下本発明の実施形態を添付図面に基づいて説明する。図１から図３は本発明の第１の実施形態を示すもので、例えば車両用計器に搭載される指針の指示によるアナログ式指示計器に組み込まれた液晶による表示装置を例にして説明する。
【００２４】
本実施形態による車両用の計器装置は、例えば自動車のダッシュボードに搭載されるコンビネーションメータからなるもので、図１に示すように外装部材であるケースＣの内部には、速度計（スピードメータ）、エンジン回転計（タコメータ）などの情報を表示する表示部材である周知な指針式の計器からなるアナログ式の指示計器Ｍが収納固定されるとともに、指示計器Ｍの間にはフラットディスプレイパネルとなる液晶による表示装置Ｄが配置されている。この場合、各指示計器Ｍを構成する計器本体（図示せず）の前面側には表示板Ｐが取り付け固定され、指示計器Ｍに設けられた指針Ｓの指示を表示板Ｐに施された目盛や文字などの表示部Ｐ１と対比判読するようにしている。また、表示板Ｐには、中央箇所に開口窓部Ｐ２が設けられ、この開口窓部Ｐ２を介して液晶による表示装置Ｄの表示形態（車両の表示情報）が読み取れるように設けられている。
【００２５】
表示装置Ｄは、透過型の液晶表示素子からなる矩形状の表示パネル１と、この表示パネル１の裏面側に配置され表示パネル１を保持する合成樹脂材料からなるホルダー２と、このホルダー２の背後に配置され、表示パネル１を駆動するための電子部品が実装された硬質材料からなる回路基板３と、この回路基板３側と表示パネル１側との間を電気的に接続するフレキシブルプリント配線板４と、このフレキシブルプリント配線板４の端部側と接続される回路基板３上に設けられたフレキシブルプリント配線板接続用コネクタ５と、回路基板３上に実装され表示パネル１の表示部の表示情報を切り替えるためのスイッチ操作部６と、回路基板３上に実装され液晶表示素子からなる表示パネル１を背後から照明する光源としての発光ダイオード７と、これらの実装部品は下ケース８と上ケース９とからなるケースＣ内に収納されて構成されている。
【００２６】
表示装置Ｄにおける表示パネル１は、たとえば一対のガラス基板間に液晶分子を封入した液晶パネルからなり、その端部にはフレキシブルプリント配線板４と導通接続される複数の電極端子（図示せず）が設けられている。
【００２７】
ホルダー２は白色の合成樹脂からなり、枠状の側周壁部２０と、側周壁部２０の上端側にて水平方向に延びて表示パネル１が載置される載置部２１が設けられている。この載置部２１から奥まった位置において、たとえば白色で発光する発光ダイオード７が点灯すると、発光ダイオード７側からの照射光が表示パネル１の背後から透過照明するように構成されている。この場合、図示はしないが、発光ダイオード７と表示パネル１との間に光を拡散するための拡散板や発光ダイオード７からの光を導き入れるための導光板を設けるようにしても良い。
【００２８】
回路基板３は、たとえばガラスエポキシ系材料からなる硬質の基板によって形成されており、その所定箇所にはフレキシブルプリント配線板４を介して表示パネル１の各電極端子（図示せず）と導通接続される。この際、表示パネル１に駆動信号を供給する複数の回路パターン（図示せず）が回路基板３上に設けられており、回路基板３上の回路パターンから引き出し形成された複数の電極端子と回路基板３に実装されたフレキシブルプリント配線板接続用コネクタ５とを電気的に接続し、このコネクタ５を介してフレキシブルプリント配線板４の電極端子（図示せず）と接続するように構成している。
【００２９】
フレキシブルプリント配線板４は、合成樹脂製の樹脂フィルムに所望の導電回路パターンを形成したものであり、この場合、表示パネル１に設けられた電極端子（図示せず）と回路基板３上に引き回し形成された回路パターン（図示せず）に設けられた電極端子（図示せず）側とが適宜接続部材にて導通接続され、回路基板３を通じて表示パネル１に駆動信号を供給し、表示パネル１に所定の表示を行わせるようになっている。
【００３０】
フレキシブルプリント配線板接続用コネクタ５は、回路基板３上に実装されており、この実施形態においては、回路基板３の表示パネル１が配置される側の面と同一の面に配置されており、フレキシブルプリント配線板４の端部側に設けられた電極端子（図示せず）と電気的に接続されるように設けられている。
【００３１】
スイッチ操作部６は、回路基板３上に実装されたタクトスイッチなどからなる押釦スイッチ６０と操作者からの押し圧による作動力を伝えるキートップ部６１とで構成されている。
【００３２】
本実施形態にあっては、スイッチ操作部６を表示パネル１と隣接する位置に配設するとともに、スイッチ操作部６の配設位置に合わせてフレキシブルプリント配線板４には中央部分がスイッチ操作部６のキートップ部６１が挿通可能なように開口部４０が設けられ、スイッチ操作部６が開口部４０を介して操作可能に配置されている。この場合、図２に示すように、フレキシブルプリント配線板４の破線で示した箇所が開口部４０に相当し、図３においては、フレキシブルプリント配線板４の中央箇所を切り欠き形成し両側に配線パターンが迂回してフレキシブルプリント配線板４が引き回し形成されるように開口部４０が設けられている。
【００３３】
また表示パネル１の表示部の表示情報を切り替えるためのスイッチ操作部６に設けられたキートップ部６１の先端部分は、上ケース９に設けられた挿通孔９０を介して上ケース９の前面側から上側に突出するように設けられている。
【００３４】
なお、表示装置Ｄを上ケース９と下ケース８とからなるケースＣに収納するとともに、押釦スイッチ６０が実装された回路基板３の背面箇所に下ケース８から一体に突出した突き当て凸部８０が配置されるように構成されている。
【００３５】
このように構成された本実施形態における表示装置Ｄは、フレキシブルプリント配線板４に開口部４０を設け、この開口部４０にスイッチ操作部６を配置することができるため、スイッチ操作部６を含む表示装置Ｄ全体を小型化することが可能となり、フレキシブルプリント配線板４の少なくとも一部の領域を利用することができるため表示パネル１の表示部領域とスイッチ操作部６の距離を近づけることができ、これにより操作しやすく表示部を見やすくすることが可能となる。
【００３６】
また回路基板３上に組み付けられる部品である表示パネル１やスイッチ操作部６の押釦スイッチ６０あるいはフレキシブルプリント配線板接続用コネクタ５を、同一の側に面した回路基板３上に組み付けることができるため、部品のセットが行いやすく組み付け作業を簡便に行うことが可能となる。
【００３７】
またスイッチ操作部６を回路基板３上に実装された押釦スイッチ６０と操作者からの作動力を伝えるキートップ部６１とによって構成することにより、キートップ部６１の長さを調節（設定）することによって、主に規格品である押釦スイッチ６０（タクトスイッチ）の長さを変えることなく回路基板３からキートップ部６１までの距離を任意の長さに設定することができ、これにより押圧による操作をケースＣ（上ケース９）の前面側にて良好に行うことができる。
【００３８】
また表示装置Ｄを上ケース９と下ケース８とからなるケースＣに収納するとともに、押釦スイッチ６０が実装された回路基板３の背面箇所に下ケース８から一体に突出した突き当て凸部８０を配置してなることにより、操作者がスイッチ操作部６を作動させた際に生じやすい押圧力が、直接的に加わったとしても下ケース８から一体に設けた突き当て凸部８０によって回路基板３の下側を受けることにより、回路基板３が撓んで変形することを未然に予防することができ、回路基板３の損傷を防ぐことができる。
【００３９】
図４から図６は、本発明の第２の実施形態を示すものであり、前述した第１の実施形態と同様にして、ケースＣの内部には、速度計（スピードメータ）、エンジン回転計（タコメータ）などの情報を表示する表示部材である周知な指針式の計器からなるアナログ式の指示計器Ｍが収納固定されるとともに、指示計器Ｍの間にはフラットディスプレイパネルとなる液晶による表示装置Ｄが配置されている。この場合、各指示計器Ｍを構成する計器本体（図示せず）の前面側には表示板Ｐが取り付け固定され、指示計器Ｍに設けられた指針Ｓの指示を表示板Ｐに施された目盛や文字などの表示部Ｐ１と対比判読するようにしている。また、表示板Ｐには、中央箇所に開口窓部Ｐ２が設けられ、この開口窓部Ｐ２を介して液晶による表示装置Ｄの表示形態（車両の表示情報）が読み取れるように設けられている。
【００４０】
また表示装置Ｄも前述した第１の実施形態と同様にして、透過型の液晶表示素子からなる矩形状の表示パネル１と、この表示パネル１の裏面側に配置され表示パネル１を保持する合成樹脂材料からなるホルダー２と、このホルダー２の背後に配置され、表示パネル１を駆動するための電子部品が実装された硬質材料からなる回路基板３と、この回路基板３側と表示パネル１側との間を電気的に接続するフレキシブルプリント配線板４と、このフレキシブルプリント配線板４の端部側と接続される回路基板３上に設けられたフレキシブルプリント配線板接続用コネクタ５と、回路基板３上に実装され表示パネル１の表示部の表示情報を切り替えるためのスイッチ操作部６と、回路基板３上に実装され液晶表示素子からなる表示パネル１を背後から照明する光源としての発光ダイオード７と、これらの実装部品は下ケース８と上ケース９とからなるケースＣ内に収納されて構成されている。
【００４１】
スイッチ操作部６は、前述した第１の実施形態とほぼ同様にして、回路基板３上に実装されたタクトスイッチなどからなる押釦スイッチ６０と操作者からの押し圧による作動力を伝えるキートップ部６１とで構成されている。
【００４２】
また表示パネル１の表示部の表示情報を切り替えるためのスイッチ操作部６に設けられたキートップ部６１の先端部分は、上ケース９に設けられた挿通孔９０を介して上ケース９の前面側から上側に突出するように設けられている。
【００４３】
この第２の実施形態においては、表示パネル１と隣接する位置にスイッチ操作部６が配設されるとともに、スイッチ操作部６の配設位置に合わせてフレキシブルプリント配線板４の折り返し領域の中央部分にはスイッチ操作部６のキートップ部６１が近接配置されるように開口部４０が設けられ、スイッチ操作部６が開口部４０を介して操作可能に配置されている。この際、図５に示すようにフレキシブルプリント配線板４の破線で示した折り返されたフレキシブルプリント配線板４箇所が開口部４０に相当し、図６においては、フレキシブルプリント配線板４の中央箇所が切り欠き形成され、その切り欠き形成された箇所がフレキシブルプリント配線板４の開口部４０として形成され、その開口部４０領域が折り返されながら引き回し形成されるように設けられている。
【００４４】
また第２の実施形態においては、回路基板３に実装されるフレキシブルプリント配線板接続用コネクタ５が、回路基板３の表示パネル１が配置される側の面と反対側の面に配置されるように設けられている。
【００４５】
また回路基板３の背面側に配置されたフレキシブルプリント配線板接続用コネクタ５の位置関係に合わせて、フレキシブルプリント配線板４は、表示パネル１側と接続されたフレキシブルプリント配線板４の一端部から引き回し配設され、回路基板３の表面側から裏面側の周縁に沿いながら折り返されて引き回し配設され、回路基板３の裏面側に実装されたフレキシブルプリント配線板接続用コネクタ５と電気的に接続されるように設けられている。
【００４６】
このように構成することによって、前述した第１の実施形態の効果に加えて、回路基板３に実装されるフレキシブルプリント配線板接続用コネクタ５が、回路基板３の表示パネル１が配置される側の面と反対側の面に配置されることにより、回路基板３を覆うケースＣ（下ケース８と上ケース９）の側壁に沿って引き回し案内することが可能となり、これにより表示装置Ｄのスペースを抑えることができるとともに、ケースＣを含む計器装置の小型化をさらに実現することが可能となる。
【００４７】
また図７は、本発明の実施形態である表示装置の変形例を示すものであり、ここではキートップ部６１の前面側に弾性を有する押圧操作部６２を設けるとともに、この押圧操作部６２を表示パネル１の前面側を覆う上ケース９に設けられた挿通孔９０に水密を保つように取り付け固定している。
【００４８】
このように構成することによって、ケースＣ内に表示装置Ｄを収納することにより保護することができるとともに、しかもスイッチ操作部６に設けられたキートップ部６１の前面側に弾性を有する押圧操作部６２を設け、この押圧操作部６２を上ケース９の挿通孔９０に水密状態にて取り付け固定してなることにより、ケースＣの外部からの塵埃や水滴などの浸入を未然に防ぐことができるものであり、例えばオートバイや船舶などの外部雰囲気中において雨や海水などに晒されやすい使用条件においても雨水の浸入などを未然に防ぐことができる。
【００４９】
なお本発明は、前述した実施例に限定されるものではなく本発明の要旨の範囲内において種々の変形実施が可能である。たとえば、各実施形態においては、表示装置Ｄとアナログ式の指示計器Ｍとを実装するための回路基板３を一体に形成していたが、個別に分離状態にして回路基板３をそれぞれ備えるように構成しても良いものであり、また各実施形態においては、スイッチ操作部６として、回路基板３上に実装されたタクトスイッチなどからなる押釦スイッチ６０と操作者からの押し圧による作動力を伝えるキートップ部６１とで構成していたが、ゴムスイッチなどからなるスイッチ操作部にて構成しても良いものであり、またフレキシブルプリント配線板４に形成する開口部４０の形状や大きさなどは電気的に引き回し配線される配線パターンなどの数やフレキシブルプリント配線板４の長さや幅寸法などによって適宜設定すればよいものである。
【産業上の利用可能性】
【００５０】
また、前述した実施形態にあっては、表示パネル１として液晶による表示パネルを例にして説明したが、ＥＬ表示パネルなどの表示パネル構造による表示装置であっても同様の効果を得ることができるものであり、車両用に限らず船舶用計器あるいは農業用機械や建設機械などの指示計器などにおいても適用することが可能であり、同様な効果を得ることができる。
【符号の説明】
【００５１】
Ｃ    ケース
Ｄ    表示装置
Ｍ    指示計器
Ｐ    表示板
Ｐ１    表示部
Ｐ２    開口窓部
Ｓ    指針
１    表示パネル
２    ホルダー
３    回路基板
４    フレキシブルプリント配線板
５    フレキシブルプリント配線板接続用コネクタ
６    スイッチ操作部
７    発光ダイオード（光源）
８    下ケース
９    上ケース
２０    側周壁部
２１    載置部
４０    開口部
６０    押釦スイッチ
６１    キートップ部
６２    押圧操作部
８０    突き当て凸部
９０    挿通孔
【図１】
2013095178.tif 000003
【図２】
2013095178.tif 000004
【図３】
2013095178.tif 000005
【図４】
2013095178.tif 000006
【図５】
2013095178.tif 000007
【図６】
2013095178.tif 000008
【図７】
2013095178.tif 000009